(57)【要約】【課題】共通する情報の入力・管理の手間を軽減することにより、ウェブサイトの作成・編集・更新若しくは追加等の管理を容易に行うことができるようにし、さらに、利用者の情報取得の手間を軽減させることができるウェブサイトを提供することを目的とする。【解決手段】階層的に構成される複数のウェブページからなるウェブサイトにおいて、当該ウェブサイト内の任意のウェブページの階層の範囲内にある、当該ウェブページの階層レベルより下位レベルにあるウェブページに、任意の同一のコンテンツを表示させることを特徴とする。【選択図】  図４
2008102749.tif 000002
【特許請求の範囲】
【請求項１】
階層的に構成される複数のウェブページからなるウェブサイトを提供するウェブサーバであって、当該ウェブサイト内の任意のウェブページの階層の範囲内にある、当該ウェブページの階層レベルより下位レベルにあるウェブページに、任意の同一のコンテンツが表示されることを特徴とするウェブサイトを提供するウェブサーバ
【請求項２】
請求項１記載のウェブサーバにおいて、当該ウェブサイトを構成する各ウェブページの作成・編集は、当該ウェブページ管理者のみが行えることを特徴とする
ウェブサイトを提供するウェブサーバ
【請求項３】
請求項２記載のウェブサーバにおいて、当該ウェブページ管理者が、当該ウェブページの階層の範囲内にある、当該ウェブページの階層レベルより上位レベルにあるウェブページ管理者に、当該ウェブページの階層の範囲内にある、当該ウェブページの階層レベルより下位レベルにあるウェブページに、当該コンテンツをエクスポートする承認要求を送信するステップと、その承認後に、当該ウェブページの階層の範囲内にある、当該ウェブページの階層レベルより下位レベルにあるウェブページに、当該コンテンツがインポートされるステップとにより、当該ウェブページの階層の範囲内にある、当該ウェブページの階層レベルより下位レベルにあるウェブページに、当該コンテンツが表示されることを特徴とするウェブサイトを提供するウェブサーバ
【請求項４】
請求項１〜３いずれか記載のウェブサーバにおいて、当該ウェブページの階層の範囲内にある、当該ウェブページの階層レベルより下位レベルにあるウェブページのうち、指定された任意のウェブページに、当該コンテンツが表示されることを特徴とするウェブサイトを提供するウェブサーバ
【請求項５】
請求項１〜４いずれか記載のウェブサーバにおいて、当該ウェブページの階層の範囲内にある、当該ウェブページの階層レベルより下位レベルにあるウェブページの、指定された任意の位置に、当該コンテンツが表示されることを特徴とするウェブサイトを提供するウェブサーバ
【請求項６】
請求項１〜５いずれか記載のウェブサーバにおいて、当該ウェブページの階層の範囲内にある、当該ウェブページの階層レベルより下位レベルにあるウェブページに、指定された任意の日時に、当該コンテンツが表示されることを特徴とするウェブサイトを提供するウェブサーバ
【請求項７】
階層的に構成される複数のウェブページからなるウェブサイトにおいて、当該ウェブサイト内の任意のウェブページの階層の範囲内にある、当該ウェブページの階層レベルより下位レベルにあるウェブページに、任意の同一のコンテンツを表示させる方法
【請求項８】
請求項７記載の表示方法において、当該ウェブサイトを構成する各ウェブページの作成・編集は、当該ウェブページ管理者のみが行えることを特徴とする、当該コンテンツを表示させる方法
【請求項９】
請求項８記載の表示方法において、当該ウェブページ管理者が、当該ウェブページの階層の範囲内にある、当該ウェブページの階層レベルより上位レベルにあるウェブページ管理者に、当該ウェブページの階層の範囲内にある、当該ウェブページの階層レベルより下位レベルにあるウェブページに、当該コンテンツをエクスポートする承認要求を送信するステップと、その承認後に、当該ウェブページの階層の範囲内にある、当該ウェブページの階層レベルより下位レベルにあるウェブページに、当該コンテンツがインポートされるステップとにより、当該ウェブページの階層の範囲内にある、当該ウェブページの階層レベルより下位レベルにあるウェブページに、当該コンテンツを表示させる方法
【請求項１０】
請求項７〜９いずれか記載の表示方法において、当該ウェブページの階層の範囲内にある、当該ウェブページの階層レベルより下位レベルにあるウェブページのうち、指定する任意のウェブページに、当該コンテンツを表示させる方法
【請求項１１】
請求項７〜１０いずれか記載の表示方法において、当該ウェブページの階層の範囲内にある、当該ウェブページの階層レベルより下位レベルにあるウェブページの、指定する任意の位置に、当該コンテンツを表示させる方法
【請求項１２】
請求項７〜１１いずれか記載の方法において、当該ウェブページの階層の範囲内にある、当該ウェブページの階層レベルより下位レベルにあるウェブページに、指定する任意の日時に、当該コンテンツを表示させる方法
【請求項１３】
請求項７〜１２いずれか記載の方法を用いるウェブサイトを構築することを特徴とする、ウェブサイト構築支援システム
【請求項１４】
請求項７〜１２いずれか記載の同一の方法を用いるウェブサイトを構築する方法
【請求項１５】
通信ネットワークを介して、利用者側端末と、階層的に構成される複数のウェブページからなるウェブサイトを提供するウェブサーバとが、相互に接続された環境下において、当該ウェブサーバは、請求項１〜６いずれか記載のウェブサーバであることを特徴とする情報配信システム
【請求項１６】
請求項７〜１２及び請求項１４に記載の方法をコンピュータに実行させるためのプログラム
【請求項１７】
請求項７〜１２に記載の方法を用いるウェブサイトを構成するウェブページを作成・編集するためのコンピュータによって実行可能なプログラム
【請求項１８】
請求項１６〜１７に記載のプログラムを記憶したコンピュータ読み取り可能な記憶媒体
【発明の詳細な説明】
【技術分野】
【０００１】
本発明は、階層化構造ウェブサイトを提供するウェブサーバ、及び階層化構造ウェブサイト構築支援システムに関する。
【背景技術】
【０００２】
現在、インターネットを利用して情報を提供する場合、情報提供者がウェブサイトを作成して、ウェブサーバにて公開・提供し、利用者が端末を用いて、ウェブサイトにアクセスし、必要な情報を得るという手段が広く用いられている。
ウェブサイトの多くは階層的に構成されているが、そのようなウェブサイトを作成・編集・更新若しくは追加等の管理を行う場合、各ウェブページ内に同一内容のコンテンツが含まれる場合であっても、各ウェブページ毎に管理を行う必要があった。
【０００３】
また、ウェブページ作成には、ＨＴＭＬ（Ｈｙｐｅｒ  Ｔｅｘｔ  Ｍａｒｋｕｐ  Ｌａｎｇｕａｇｅ）等の知識が要求される。近年では、そのような知識を十分に有さない者であっても、簡易にウェブページを作成することができるソフトウェアが販売されている。
しかし、そのようなソフトウェアを用いる場合であっても、複数のウェブページに同一内容のテキスト等を記述する場合には、コピー＆ペースト等の作業を行う必要がある。
【０００４】
個人が趣味で開設するウェブサイトであれば、ウェブサーバの容量が限られることもあって、ウェブページの数が膨大になることは希であり、さほど、その手間も問題になることはないが、企業・役所若しくは団体等のウェブサイトにおいては、その情報量も膨大なものとなり、本社・本部・支部・支店・支社・部署等の段階的な階層構造を有するウェブサイトにおいては、共通する情報を配信する場合には、そのテキスト等を各ウェブページ毎に記述する必要があった。
そして、ウェブページを各支社・各部署等の単位で管理する場合、情報の伝達経路が複雑になることによる記述情報の正確性、及びウェブページに記述する内容を上部の組織に確認を得る必要性等による情報更新の迅速性を担保する上で問題が生じることがあった。
さらに、その情報の有用性が短期間の場合などには、ウェブページの更新管理等を頻繁に行う必要があり、大変に手間のかかるものとなっていた。
【０００５】
また、共通する情報を各ウェブページから配信する手段として、各ウェブページからリンクを張って、リンク先のウェブページに共通する情報を記載するという方法がある。しかし、その方法では、各ウェブページからは、利用者は、その共通する情報を即座に認識することができず、リンク先ウェブページに移動するアイコン等をクリックして、リンク先のウェブページを閲覧する手段をとることになり、利用者に煩わしさを感じさせることとなっていた。
【特許文献１】特開２００４−０７８６３５号公報
【特許文献２】特開２００６−１１３９２１号公報
【発明の開示】
【発明が解決しようとする課題】
【０００６】
そこで、本発明は、階層的に構成される複数のウェブページからなるウェブサイトにおいて、いかに共通する情報の入力・管理の手間を軽減するかという点に着目し、任意のウェブページの管理画面で設定する任意の同一のコンテンツを、当該ウェブページの階層の範囲内にある、当該ウェブページの階層レベルより下位レベルにあるウェブページに、そのまま表示することにより、ウェブサイトの作成・編集・更新若しくは追加等の管理を容易に行うことができ、利用者の情報取得の手間を軽減させることができるウェブサイトを提供することを目的とする。
【課題を解決するための手段】
【０００７】
請求項１記載のウェブサーバは、階層的に構成される複数のウェブページからなるウェブサイトを提供するウェブサーバであって、当該ウェブサイト内の任意のウェブページの階層の範囲内にある、当該ウェブページの階層レベルより下位レベルにあるウェブページに、任意の同一のコンテンツが表示されることを特徴とする。
【０００８】
前記の発明によれば、階層化されたウェブサイトにおいて、階層レベルの異なる複数のウェブページに任意の同一のコンテンツを表示することができ、各ウェブページ毎に同一内容のコンテンツを作成する手間を軽減することができ、容易に作成・編集・更新若しくは追加等の管理をすることができるウェブサイトを提供することができる。
【０００９】
請求項２記載のウェブサーバは、請求項１記載のウェブサーバにおいて、当該ウェブサイトを構成する各ウェブページの作成・編集は、当該ウェブページ管理者のみが行えることを特徴とする。
【００１０】
前記の発明によれば、請求項１記載のウェブサーバが提供するウェブサイトにおいて、ウェブサイトを構成する各ウェブページは、それぞれ権限を有する者のみが管理できることとなる。
【００１１】
請求項３記載のウェブサーバは、請求項２記載のウェブサーバにおいて、当該ウェブページ管理者が、当該ウェブページの階層の範囲内にある、当該ウェブページの階層レベルより上位レベルにあるウェブページ管理者に、当該ウェブページの階層の範囲内にある、当該ウェブページの階層レベルより下位レベルにあるウェブページに、当該コンテンツをエクスポートする承認要求を送信するステップと、その承認後に、当該ウェブページの階層の範囲内にある、当該ウェブページの階層レベルより下位レベルにあるウェブページに、当該コンテンツがインポートされるステップとにより、当該ウェブページの階層の範囲内にある、当該ウェブページの階層レベルより下位レベルにあるウェブページに、当該コンテンツが表示されることを特徴とする。
【００１２】
前記の発明によれば、請求項２記載のウェブサーバが提供するウェブサイトにおいて、当該ウェブページの管理者が、当該ウェブページの階層レベルより下位レベルにあるウェブページに当該コンテンツを表示させる作業を行っても、当該ウェブページの階層レベルより上位レベルにあるウェブページ管理者の承認なしには、表示させないようにすることができる。
【００１３】
請求項４記載のウェブサーバは、請求項１〜３いずれか記載のウェブサーバにおいて、当該ウェブページの階層の範囲内にある、当該ウェブページの階層レベルより下位レベルにあるウェブページのうち、指定された任意のウェブページに、当該コンテンツが表示されることを特徴とする。
【００１４】
前記の発明によれば、請求項１〜３記載のウェブサーバが提供するウェブサイトにおいて、当該ウェブページの階層レベルより下位レベルにあるウェブページに当該コンテンツを表示させる際に、表示させるウェブページを任意に選択することができる。
【００１５】
請求項５記載のウェブサーバは、請求項１〜４いずれか記載のウェブサーバにおいて、当該ウェブページの階層の範囲内にある、当該ウェブページの階層レベルより下位レベルにあるウェブページの、指定された任意の位置に、当該コンテンツが表示されることを特徴とする。
【００１６】
前記の発明によれば、請求項１〜４記載のウェブサーバが提供するウェブサイトにおいて、当該ウェブページの階層レベルより下位レベルにあるウェブページに当該コンテンツを表示させる際に、表示させるウェブページ内での当該コンテンツを表示させる位置を任意に設定することができる。
【００１７】
請求項６記載のウェブサーバは、請求項１〜５いずれか記載のウェブサーバにおいて、当該ウェブページの階層の範囲内にある、当該ウェブページの階層レベルより下位レベルにあるウェブページに、指定された任意の日時に、当該コンテンツが表示されることを特徴とする。
【００１８】
前記の発明によれば、請求項１〜５記載のウェブサーバが提供するウェブサイトにおいて、当該ウェブページの階層レベルより下位レベルにあるウェブページに当該コンテンツを表示させる際に、表示される日時を任意に設定することができる。
【００１９】
請求項７記載の任意の同一コンテンツを表示させる方法は、階層的に構成される複数のウェブページからなるウェブサイトにおいて、任意の同一のコンテンツを、当該ウェブサイト内の任意のウェブページの階層の範囲内にある、当該ウェブページの階層レベルより下位レベルにあるウェブページにも表示させることを特徴とする。
【００２０】
前記の発明によれば、階層化されたウェブサイトにおいて、階層レベルの異なる複数のウェブページに任意の同一のコンテンツを表示することができ、各ウェブページ毎に同一内容のコンテンツを作成する手間を軽減することができ、容易にウェブサイトの作成・編集・更新若しくは追加等の管理をすることができる方法を提供することができる。
【００２１】
請求項８記載の表示方法は、請求項７記載の方法において、当該ウェブサイト内の各ウェブページ内のコンテンツの作成・編集は、当該ウェブページ管理者のみが行えることを特徴とする。
【００２２】
前記の発明によれば、請求項７記載の方法を用いるウェブサイトにおいて、各ウェブページは権限を有する者のみが管理できる方法を提供することができる。
【００２３】
請求項９記載の表示方法は、請求項８記載の方法において、当該ウェブページ管理者が、当該ウェブページの階層の範囲内にある、当該ウェブページの階層レベルより上位レベルにあるウェブページ管理者に、当該ウェブページの階層の範囲内にある、当該ウェブページの階層レベルより下位レベルにあるウェブページに、当該コンテンツをエクスポートする承認要求を送信するステップと、その承認後に、当該ウェブページの階層の範囲内にある、当該ウェブページの階層レベルより下位レベルにあるウェブページに、当該コンテンツがインポートされるステップとにより、当該ウェブページの階層の範囲内にある、当該ウェブページの階層レベルより下位レベルにあるウェブページに、当該コンテンツを表示させることを特徴とする。
【００２４】
前記の発明によれば、請求項８記載の方法を用いるウェブサイトにおいて、当該ウェブページの管理者が、当該ウェブページの階層レベルより下位レベルにあるウェブページに当該コンテンツを表示させる作業を行っても、当該ウェブページの階層レベルより上位レベルにあるウェブページ管理者の承認なしには、表示させないようにする方法を提供することができる。
【００２５】
請求項１０記載の表示方法は、請求項７〜９いずれか記載の方法において、当該ウェブページの階層の範囲内にある、当該ウェブページの階層レベルより下位レベルにあるウェブページのうち、指定する任意のウェブページに、当該コンテンツを表示させることを特徴とする。
【００２６】
前記の発明によれば、請求項７〜９記載の方法を用いるウェブサイトにおいて、当該ウェブページの階層レベルより下位レベルにあるウェブページに当該コンテンツを表示させる際に、表示させるウェブページを任意に選択する方法を提供することができる。
【００２７】
請求項１１記載の表示方法は、請求項７〜１０いずれか記載の方法において、当該ウェブページの階層の範囲内にある、当該ウェブページの階層レベルより下位レベルにあるウェブページの、指定する任意の位置に、当該コンテンツを表示させることを特徴とする。
【００２８】
前記の発明によれば、請求項７〜１０記載の方法を用いるウェブサイトにおいて、当該ウェブページの階層レベルより下位レベルにあるウェブページに当該コンテンツを表示させる際に、表示させるウェブページ内での当該コンテンツを表示させる位置を任意に設定する方法を提供することができる。
【００２９】
請求項１２記載の表示方法は、請求項７〜１１いずれか記載の方法において、当該ウェブページの階層の範囲内にある、当該ウェブページの階層レベルより下位レベルにあるウェブページに、指定する任意の日時に、当該コンテンツを表示させることを特徴とする。
【００３０】
前記の発明によれば、請求項７〜１１記載の方法を用いるウェブサイトにおいて、当該ウェブページの階層レベルより下位レベルにあるウェブページに当該コンテンツを表示させる際に、表示される日時を任意に設定する方法を提供することができる。
【００３１】
請求項１３記載のウェブサイト構築支援システムは、請求項７〜１２いずれか記載の方法を用いるウェブサイトを構築することができるシステムであり、請求項１４記載のウェブサイト構築方法は、請求項７〜１２いずれか記載の方法を用いるウェブサイトを構築する方法であり、請求項１５記載の情報配信システムは、通信ネットワークを介して、利用者側端末と、階層的に構成される複数のウェブページからなるウェブサイトを提供するウェブサーバとが、相互に接続された環境下において、当該ウェブサーバは、請求項１〜６いずれか記載のウェブサーバであることを特徴とする。
請求項１６記載のプログラムは、請求項７〜１２及び請求項１４に記載の方法をコンピュータに実行させるためのプログラムであり、請求項１７記載のウェブページ作成・編集プログラムは、請求項７〜１２に記載の方法を用いるウェブサイトを構成するウェブページを作成・編集することができるコンピュータによって実行可能なプログラムであり、請求項１８記載の発明は、前記記載のプログラムを記憶したコンピュータ読み取り可能な記憶媒体である。
【発明の効果】
【００３２】
本発明によれば、階層的に構成される複数のウェブページからなるウェブサイトにおいて、ウェブサイトの作成・編集・更新若しくは追加等の管理を容易に行うことができるとともに、利用者の情報取得の手間を軽減させることができる等の種々の優れた効果を得ることができる。
【発明を実施するための最良の形態】
【００３３】
以下、図面を参照しつつ、本発明の実施の形態について説明する。なお、本実施の形態については、通信ネットワークとしてインターネットを利用し、管理者側通信端末としてコンピュータ端末を利用し、利用者側通信端末として携帯電話端末を利用した場合について説明する。
【００３４】
なお、本実施の形態の説明としては、通信ネットワークとしてインターネットを利用しているが、これは例示であって、イントラネット等の他の通信ネットワーク環境下においても実施可能である。
【００３５】
また、同様に、利用者側通信端末として携帯電話端末を利用しているが、通信ネットワークに接続して情報のやりとりが可能であるものならば、コンピュータ端末他のどのような端末であってもよい。
【００３６】
本発明の実施の形態に係るウェブサーバ・ウェブサイト構築システム、並びに情報配信システムの構成について説明をする。図１は、全体構成を示す機能ブロック図である。
【００３７】
本発明の実施の形態に係る情報配信システムは、ウェブサイトを提供する情報配信装置・ウェブサイトの構築支援装置となるウェブサーバ１０と、コンピュータ端末４から構成される管理者側通信端末２と、携帯電話端末５から構成される利用者側通信端末３とが、インターネット１を介して、相互に接続された環境下において、利用者に情報を配信することができるように構成されている。
【００３８】
ウェブサーバ１０は、経路制御装置、電話回線、ＬＡＮ（ローカル・エリア・ネットワーク）等を経由してインターネット１に接続されている。
【００３９】
制御手段１１は、ＣＰＵ等から構成され、各部の制御や、データの転送、種々の演算、データの一時的な格納等を行う。入力制御手段１２は、インターネット１を介して接続されたコンピュータ端末４及び携帯電話端末５から入力されるデータを制御する。出力制御手段１３は、コンピュータ端末４及び携帯電話端末５に出力されるデータを制御する。符号１４〜１７は、それぞれ以下のファイルが格納されているデータベースとなっている。
【００４０】
まず、データベース１４には、ウェブサイトの階層構造・サイトマップ等のデータが格納されている。
【００４１】
データベース１５には、ウェブサイトを構成する各ウェブページのコンテンツ等のデータが格納されている。
【００４２】
データベース１６には、氏名・住所・ＩＤ・パスワード等のウェブサイトの管理者に関するデータ、及び各ウェブページに管理者が設定されている場合には、当該ウェブページの管理者のデータが格納されている。
【００４３】
データベース１７には、任意の同一のコンテンツのデータが格納されている。
【００４４】
プログラム１８は、ウェブサーバ１０を制御するメインプログラムが記憶されており、制御手段１１において用いられる。例えば、データベース１４〜１７に格納されている情報から必要な情報を得るための検索用プログラム、図６に示す画面を表示させるプログラム、ウェブサイトを構成するウェブページを作成・編集するためのプログラム等から構成される。
【００４５】
コンピュータ端末４は、インターネット１を介して、ウェブサーバ１０と接続され、プログラム１８により、データベース１４〜１７に格納されているデータの作成・編集等が可能となっている。
【００４６】
携帯電話端末５は、インターネット１を介して、ウェブサーバ１０から配信される情報の表示が可能となっている。
【００４７】
次に、図２〜図４を参照しつつ、情報を作成・編集し、配信する手順について説明する。ここで、図２は本実施例のウェブサイトを構成するウェブページの階層図、図３は本実施例の任意のウェブページの属する階層図、図４は本実施例の情報配信方法を示すフローチャートである。
【００４８】
図２は、本実施例における階層構造をもつウェブサイト全体の構成図であって、最上位階層レベル（階層レベル１）のウェブページ２１、その一段下位のレベル（階層レベル２）のウェブページ２２・２３、さらにその一段下位のレベル（階層レベル３）のウェブページ２４他、最下位階層レベル（階層レベルｎ）のウェブページ２５他の複数のウェブページから構成される。
【００４９】
ここで、本実施例の階層は、最上位の階層レベル１から、最下位の階層レベルｎとなっているが、階層数ｎは任意に定めることが可能である。
【００５０】
ウェブサイトの管理者等が、コンピュータ端末４から、インターネット１を介して、ウェブサーバ１０にアクセスし、プログラム１８により、選択した任意のウェブページ管理画面に接続する（ステップ１０１）。このウェブページ管理画面にて、当該ウェブページの作成・編集等を行うようになっており、作成・編集を容易にするテンプレート・入力フォーム等を提供するようにすることもできる。
なお、コンピュータ端末４は、インターネット１を介さずにウェブサーバ１０に接続されるコンピュータ端末であってもよい。
【００５１】
ここで、ウェブサイトの管理者等が、階層レベル３にあるウェブページ３１を選択する場合、ウェブページ３１の管理画面にて、データを入力することにより（ステップ１０２・１０３）、当該データがコンピュータ端末４の画面に表示され（ステップ１０４）、内容の確認を経て、データがウェブサーバ１０に送信され（ステップ１０５）、データベース１７に格納される。
【００５２】
そして、プログラム１８により、データベース１７に格納された当該データがエクスポートされ（ステップ１０６）、階層３２に属するウェブページ３１より下位レベルである階層レベル４にあるウェブページ３３以下の下位レベルのウェブページにインポートされ（ステップ１０７）、階層３２に属するウェブページ３１より下位レベルである階層レベル４にあるウェブページ３３以下の下位レベルのウェブページ内にデータ内容が記述され、データベース１５に格納される。
【００５３】
なお、ここで入力されるデータは、テキストデータはもちろんのこと、様々な属性を設定することにより、スクロールさせたり、テキストデータの他、画像データ等でもよい。また、データにリンクを設定することにより、利用者端末５にて、下位レベルのウェブページに表示されるデータを選択することにより、リンクが張られたウェブページを表示させたりすることも可能である。
【００５４】
次に、本実施例システムの利用例として、図５〜図２５を参照しつつ、小学校のウェブサイトの構成例を説明するが、階層的な組織構造をもつ企業・団体・役所等に応用が可能である。
ここで、図５は小学校のウェブサイト構成の階層図、図６〜図１３、図１６〜図１８、図２２及び図２４は利用者端末５に表示される画面、図１４及び図１５はウェブページのＨＴＭＬソース、図１９〜図２１、図２３及び図２５は本実施例の情報配信方法に付加する機能を示すフローチャートである。
【００５５】
○○第一小学校のウェブサイトは、３段の階層からなり、最上位階層の階層レベル１にあるトップページ５１、その一段下位の階層レベル２の学年のページ５２・５３、さらにその一段下位の階層レベル３の学級のページ５４〜５６他で構成されている。
【００５６】
利用者端末５に表示されるトップページ５１の画面６１には、所在地・電話番号等が記載され、その一段階の階層レベル２に属する５年生のページ５２へのリンク６２、６年生のページ５３へのリンク６３が表示されている。
【００５７】
利用者端末５に表示される５年生のページ５２の画面７１には、サンプル画像、５年１組のページへのリンク７２、５年２組のページへのリンク７３、トップページへのリンク７４が表示されている。この他、５年生の独自の情報を表示されるようにウェブページ５２を作成することも可能である。
【００５８】
利用者端末５に表示される６年生のページ５３の画面８１には、サンプル画像、６年１組のページへのリンク８２、６年２組のページへのリンク８３、トップページへのリンク８４が表示されている。この他、６年生の独自の情報を表示されるようにウェブページ５３を作成することも可能である。
【００５９】
利用者端末５に表示される５年１組のページ５４の画面９１には、サンプル画像、５年生のページへのリンク９２、トップページへのリンク９３が表示されている。この他、５年１組の独自の情報を表示されるようにウェブページ５４を作成することも可能である。
【００６０】
利用者端末５に表示される５年２組のページ５５の画面１０１には、サンプル画像、５年生のページへのリンク１０２、トップページへのリンク１０３が表示されている。この他、５年１組の独自の情報を表示されるようにウェブページ５５を作成することも可能である。
【００６１】
なお、ここで利用者端末５に各ウェブページを表示するに際して、トップページ５１からリンクを辿って各ウェブページを表示する他、直接ＵＲＬを入力する方法、学級の連絡案内等の書面にＱＲコード（登録商標）・ＣＣコード（登録商標）を記載することにより、それらから各ウェブページに直接アクセスすることも可能である。
【００６２】
運動会のように全校共通の行事等がある場合、全校生徒・父兄及び関係者に、その情報を知らしめる必要があるが、そのような場合に本実施例のシステムはきわめて有効に機能することとなる。
今まで、印刷物の配布・電話網等により伝達していた情報を、階層構造をもつウェブサイトによる本実施例のシステムを利用することにより、低コストに情報伝達手段を確立でき、伝達漏れをなくすことが可能になる。
【００６３】
○○第一小学校のウェブサイトの管理者等が、上記の手順にて、トップページ５１のウェブページ管理画面から、「運動会は○月○日」というテキストを入力・確認した後（ステップ１０２〜１０５）、テキストデータがエクスポートされ（ステップ１０６）、トップページ５１より下位レベルにある学年のページ５２・５３及び学級のページ５４〜５６他に、「運動会は○月○日」というテキストデータがインポートされ（ステップ１０７）、トップページ５１より下位レベルにある学年のページ５２・５３及び学級のページ５４〜５６他の各ウェブページ内に「運動会は○月○日」というテキストが記述され、データベース１５に格納される。
その結果として、利用者端末５には、５年生のページ５２にはコンテンツ１１１、６年生のページ５３にはコンテンツ１２１、５年１組のページ５４にはコンテンツ１３１を表示することができるため、生徒が自身の属する学級のページ５４等のみを閲覧する場合であっても、確実に情報が伝達されることとなる。
【００６４】
データがインポートされる前の５年生のページの表示画面７１は、ＨＴＭＬソース１４１のように記述されているが、上記手順により、「運動会は○月○日」というテキストデータが、５年生のページ５２にインポートされることにより、インポート後の５年生のページ表示画面７１には、コンテンツ１１１が表示されることとなり、点線で囲まれているＨＴＭＬソース１５２がインポートされ、５年生のページはＨＴＭＬソース１５１のように記述されることとなる。
【００６５】
ここで、トップページ５１より下位レベルにあるウェブページ５２〜５５他だけでなく、トップページ５１自体にもコンテンツ１６１を表示するようにすることもできる。
【００６６】
従来は、学校のウェブサイトにおいて、全校共通である運動会の日程等の情報を学校のトップページのみに掲載している場合においては、学年又は学級のページのみを閲覧するような場合に情報伝達漏れが生じていたが、各ウェブページに共通の情報を表示することにより、情報伝達漏れを低減することが可能となる。
さらに、同様の方法をとる場合、従来は各ウェブページ毎に、共通の情報を入力しなければならない等の手間が生じていたところ、本実施例のシステムを利用することにより、ウェブサイトの管理の手間を大幅に削減することが可能となる。
【００６７】
次に、５年生だけで実施する行事等の情報については、５年生の生徒・父兄及び関係者だけに知らしめればよいわけであるが、本実施例のシステムを利用すれば、きわめて容易に実現が可能である。
【００６８】
５年生の学年主任等の管理者が、５年生のページ５２のウェブページ管理画面から、「遠足は○月○日」というテキストデータを入力・確認した後（ステップ１０２〜１０５）、データがエクスポートされ（ステップ１０６）、５年生のページ５２より下位レベルにある学級のページ５４・５５に、「遠足は○月○日」というテキストデータがインポートされ（ステップ１０７）、５年生のページ５２より下位レベルにある学級のページ５４・５５の各ウェブページに、「遠足は○月○日」というテキストが記述され、データベース１５に格納され、利用者端末５には、５年１組のページ５４にはコンテンツ１７２、５年２組のページ５５にはコンテンツ１８２を表示することができる。
【００６９】
ここで、５年生のページ５２より下位レベルにあるウェブページ５４・５５だけでなく、５年生のページ５２自体にも「遠足は○月○日」を表示するようにすることもできるのは、上記と同様である。
【００７０】
そして、この場合、５年生のページ５２とは、異なる階層に属する６年１組のページ５６には、当該コンテンツは表示されないこととなる。
【００７１】
このように、情報を伝達する対象に応じて、適当なウェブページを選択し、そのウェブページ管理画面から、配信したい情報を入力することにより、当該ウェブページの属する階層内での、共通する情報が表示されるウェブページを選択することが可能となる。
【００７２】
また、○○第一小学校全体のウェブサイト全体の管理者だけでなく、学年のページ５２・５３の管理者を各学年主任、学級のページ５４〜５６他の管理者を各学級担任等のように、各ウェブページ毎に管理者を設定することもできる。
【００７３】
この場合、各管理者をＩＤ・パスワード等により識別することとして、各ウェブページ管理画面に接続後（ステップ１０１）、ＩＤ・パスワード入力画面がコンピュータ端末３の画面に表示され（ステップ２０１）、ＩＤ・パスワードを入力し（ステップ２０２）、ウェブサーバ１０に送信され、それらがデータベース１６に登録された管理者のものと認められれば（ステップ２０３）、当該ウェブページ管理画面への接続許可がされ（ステップ２０４）、当該ウェブページの作成・編集が可能となるようにすることにより、実現が可能である。
【００７４】
また、上記のように各ウェブページ毎に管理者を設定する場合において、５年生のページ５２の管理者である学年主任が「遠足は○月○日」という情報を入力・確認した後（ステップ１０２〜１０５）、エクスポートの承認要求がウェブサーバ１０に送信され（ステップ３０１）、その属する階層の上位レベルにあるトップページ５１の管理者が承認すると（ステップ３０２）、承認許可がウェブサーバ１０に送信され（ステップ３０３）、データがエクスポートされて（ステップ１０６）、５年生のページ５２より下位レベルにある学級のページ５４・５５にインポートされ（ステップ１０７）、５年生のページ５２より下位レベルにある学級のページ５４・５５の各ウェブページ内に「遠足は○月○日」というテキストが記述され、データベース１５に格納される。
このような手順を、本実施例のシステム内に組み込むことにより、上司等の許認可なしには、エクスポートできないようにすることが可能となる。
【００７５】
なお、当該ウェブページが階層レベル４にあり、上位レベルが階層レベル１〜３と複数のレベルになるような場合には、どのレベルの承認をもってエクスポートが可能となるかを任意に設定することもできる。
【００７６】
また、トップページ５１のウェブページ管理画面から、「運動会は○月○日」というテキストデータを、トップページ５１より下位レベルにあるウェブページ５２〜５６他にエクスポートする際に（ステップ１０６）、トップページ５１より下位レベルにあるすべてのウェブページにエクスポートする必要のない場合には、「運動会は○月○日」というテキストデータを入力・確認した後（ステップ１０２〜１０５）、エクスポートするウェブページを指定し（ステップ４０１）、指定したウェブページの情報がウェブサーバ１０に送信され（ステップ４０２）、指定したウェブページのみに、「運動会は○月○日」というテキストデータがインポートされる（ステップ４０３）ようにすることもできる。
【００７７】
この場合、学年のページ５２・５３のみを指定する場合、利用者端末５には、５年２組のページ５５にはコンテンツ２２１が表示され、５年生のページ５２からインポートされた「遠足は○月○日」というデータのみが表示されることとなり、「運動会は○月○日」というデータは表示されないこととなる。
【００７８】
また、５年生のページ５２のウェブページ管理画面から、「遠足は○月○日」というテキストデータを、５年生のページ５２より下位レベルにある学級のページ５４・５５にエクスポートする際に（ステップ１０６）、データを入力・確認した後（ステップ１０２〜１０５）、５年生のページ５２より下位レベルにある学級のページ５４・５５に当該データが表示される位置を指定することにより（ステップ５０１）、表示位置の指定情報がウェブサーバ１０に送信され（ステップ５０２）、学級のウェブページ５４・５５の、ステップ５０１により指定された位置に、「遠足は○月○日」というテキストデータがインポートされる（ステップ５０３）ようにすることもできる。
【００７９】
この場合、画面下部を指定した場合においては、利用者端末５には、５年１組のページ５４にはコンテンツ２４２は、画面下部に表示される。
【００８０】
また、５年生のページ５２のウェブページ管理画面から、「遠足は○月○日」というテキストデータを、５年生のページ５２より下位レベルにある学級のページ５４・５５にエクスポートする際に（ステップ１０６）、データを入力・確認した後（ステップ１０２〜１０５）、５年生のページ５２より下位レベルにある学級のページ５４・５５に当該データが表示が開始される日時を指定することにより（ステップ６０１）、表示開始日時の指定情報がウェブサーバ１０に送信され（ステップ６０２）、指定された日時に、５年生のページ５２より下位の下層にある学級のページ５４・５５に「遠足は○月○日」というテキストデータがインポートされる（ステップ６０４）ようにすることもできる。
【００８１】
そして、表示を終了させる日時を指定することにより（ステップ６０５）、指定された日時に、表示終了日時の指定情報がウェブサーバ１０に送信され（ステップ６０６）、指定された日時に、５年生のページ５２より下位レベルにある学級のページ５４・５５内から、インポートされた「遠足は○月○日」というテキストデータを削除するようにすることもできる（ステップ６０７）。
【００８２】
なお、上記の場合において、表示開始日時のみの指定、又は表示終了日時のみの指定も可能であり、表示期間のような指定も可能とすることができる。
【００８３】
もちろん、表示終了日又は表示期間を指定しない場合であっても、５年生のページ５２のウェブページ管理画面から、「遠足は○月○日」というテキストデータを、５年生のページ５２より下位レベルにある学級のページ５４・５５にエクスポートした後に、５年生のページ５２のウェブページ管理画面から、５年生のページ５２より下位レベルにある学級のページ５４・５５にエクスポートされた「遠足は○月○日」というテキストデータを削除することもできる。
【００８４】
上記学校のウェブサイト以外に、企業のウェブサイトに本実施例のシステムを利用することにより、一定の地域のみで展開するセール情報や、一定の地域での採用情報等を、当該地域に所在する支店ウェブページ以下の下位レベルのウェブページのみに掲載する等、有効な活用が考えられる。
【図面の簡単な説明】
【００８５】
【図１】本発明の実施の形態に係る情報配信システムの概要構成を示す機能ブロック図である。
【図２】本発明の実施の形態に係る情報配信システムにおけるウェブサイトを構成するウェブページの階層図である。
【図３】本発明の実施の形態に係る情報配信システムにおける任意のウェブページの属する階層を示す図である。
【図４】本発明の実施の形態に係る情報配信システムの任意の同一のコンテンツを表示する手順を示すフローチャートである。
【図５】本発明の実施の形態に係る小学校のウェブサイトを構成するウェブページの階層図である。
【図６】本発明の実施の形態に係る利用者端末５に表示される小学校のトップページの画面である。
【図７】本発明の実施の形態に係る利用者端末５に表示される５年生のページの画面である。
【図８】本発明の実施の形態に係る利用者端末５に表示される６年生のページの画面である。
【図９】本発明の実施の形態に係る利用者端末５に表示される５年１組のページの画面である。
【図１０】本発明の実施の形態に係る利用者端末５に表示される５年２組のページの画面である。
【図１１】本発明の実施の形態に係る利用者端末５に表示される５年生のページの画面である。
【図１２】本発明の実施の形態に係る利用者端末５に表示される６年生のページの画面である。
【図１３】本発明の実施の形態に係る利用者端末５に表示される５年１組のページの画面である。
【図１４】本発明の実施の形態に係るウェブページのＨＴＭＬソースである。
【図１５】本発明の実施の形態に係るウェブページのＨＴＭＬソースである。
【図１６】本発明の実施の形態に係る利用者端末５に表示される小学校のトップページの画面である。
【図１７】本発明の実施の形態に係る利用者端末５に表示される５年１組のページの画面である。
【図１８】本発明の実施の形態に係る利用者端末５に表示される５年２組のページの画面である。
【図１９】本発明の実施の形態に係る情報配信システムにおいて、各ウェブページ毎に管理者を設定する手順を示すフローチャートである。
【図２０】本発明の実施の形態に係る情報配信システムにおいて、上位レベルのウェブページ管理者の承認後にエクスポートされる手順を示すフローチャートである。
【図２１】本発明の実施の形態に係る情報配信システムにおいて、エクスポートする下位レベルのウェブページを指定する手順を示すフローチャートである。
【図２２】本発明の実施の形態に係る利用者端末５に表示される５年２組のページの画面である。
【図２３】本発明の実施の形態に係る情報配信システムにおいて、下位レベルのウェブページにインポートされる位置を設定する手順を示すフローチャートである。
【図２４】本発明の実施の形態に係る利用者端末５に表示される５年１組のページの画面である。
【図２５】本発明の実施の形態に係る情報配信システムにおいて、下位レベルのウェブページにインポートされる日時を設定する手順を示すフローチャートである。
【符号の説明】
【００８６】
１              インターネット
２              管理者側通信端末
３              利用者側通信端末
４              コンピュータ端末
５              携帯電話端末
１０            ウェブサーバ
１１            制御手段
１２            入力制御手段
１３            出力制御手段
１４            ウェブサイトデータベース
１５            ウェブページデータベース
１６            管理者データベース
１７            共通コンテンツデータベース
１８            プログラム
２１            最上位階層レベルのウェブページ
２２            最上位階層から一段下位レベルのウェブページ
２３            最上位階層から一段下位レベルのウェブページ
２４            最上位階層から二段下位レベルのウェブページ
２５            再下位階層レベルのウェブページ
３１            選択するウェブページ
３２            選択されたウェブページの属する階層
３３            選択されたウェブページの下位レベルのウェブページ
５１            最上位階層にある学校のトップページ
５２            学校のトップページから一段下位レベルにある５年生のページ
５３            学校のトップページから一段下位レベルにある６年生のページ
５４            ５年生のページから一段下位レベルにある５年１組のページ
５５            ５年生のページから一段下位レベルにある５年２組のページ
５６            ６年生のページから一段下位レベルにある６年１組のページ
６１            学校のトップページの表示画面
６２            ５年生のページへのリンク設定
６３            ６年生のページへのリンク設定
７１            ５年生のページの表示画面
７２            ５年１組のページへのリンク設定
７３            ５年２組のページへのリンク設定
７４            学校のトップページへのリンク設定
８１            ６年生のページの表示画面
８２            ６年１組のページへのリンク設定
８３            ６年２組のページへのリンク設定
８４            学校のトップページへのリンク設定
９１            ５年１組のページの表示画面
９２            ５年生のページへのリンク設定
９３            学校のトップページへのリンク設定
１０１          ５年２組のページの表示画面
１０２          ５年生のページへのリンク設定
１０３          学校のトップページへのリンク設定
１１１          ５年生のページでの同一のコンテンツ１の表示
１２１          ６年生のページでの同一のコンテンツ１の表示
１３１          ５年１組のページでの同一のコンテンツ１の表示
１４１          インポートされる前の５年生のページのＨＴＭＬソース
１５１          インポートされた後の５年生のページのＨＴＭＬソース
１５２          インポートされたデータのＨＴＭＬソース
１６１          学校のトップページでの同一のコンテンツ１の表示
１７１          ５年１組のページでの同一のコンテンツ１の表示
１７２          ５年１組のページでの同一のコンテンツ２の表示
１８１          ５年２組のページでの同一のコンテンツ１の表示
１８２          ５年２組のページでの同一のコンテンツ２の表示
２２１          ５年２組のページでの同一のコンテンツ２の表示
２４１          ５年１組のページでの同一のコンテンツ１の表示
２４２          ５年１組のページでの同一のコンテンツ２の表示
【図１】
2008102749.tif 000003
【図２】
2008102749.tif 000004
【図３】
2008102749.tif 000005
【図４】
2008102749.tif 000006
【図５】
2008102749.tif 000007
【図６】
2008102749.tif 000008
【図７】
2008102749.tif 000009
【図８】
2008102749.tif 000010
【図９】
2008102749.tif 000011
【図１０】
2008102749.tif 000012
【図１１】
2008102749.tif 000013
【図１２】
2008102749.tif 000014
【図１３】
2008102749.tif 000015
【図１４】
2008102749.tif 000016
【図１５】
2008102749.tif 000017
【図１６】
2008102749.tif 000018
【図１７】
2008102749.tif 000019
【図１８】
2008102749.tif 000020
【図１９】
2008102749.tif 000021
【図２０】
2008102749.tif 000022
【図２１】
2008102749.tif 000023
【図２２】
2008102749.tif 000024
【図２３】
2008102749.tif 000025
【図２４】
2008102749.tif 000026
【図２５】
2008102749.tif 000027